(57)【要約】【課題】釣り針によってソフトルアーが身切れしてしまうことを防ぐ、ソフトルアー用仕掛け接続具を提供する。【解決手段】線状材の曲げやねじり加工によっておおむね形成されている接続具２であって、釣り針１０を通すループ状部と、釣り針１０の向きを決める機能をもつねじり部（釣法によっては必要ない場合がある）と、ソフトルアー９に挿入し釣り針１０の位置を決める機能をもつ胴体部と、ソフトルアー９からのすっぽ抜けを強固に防止する機能をもつ抜け防止部（座金）と、抜け防止部（座金）を支える機能をもつ座金支持部と、ソフトルアー９に強固に固定でき、釣り針１０の回転を防止する機能をもつ固定部とを設ける。【選択図】図４
0003231606.tif 000002
【実用新案登録請求の範囲】
【請求項１】
釣り針を通すためのループ状部と、ソフトルアーに挿入するための胴体部と、ソフトルアーに挿入した胴体部がループ状部側へ抜けないようにするための抜け防止部とを有するソフトルアー用仕掛け接続具において、抜け防止部はソフトルアーと面接触するソフトルアー用仕掛け接続具。
【請求項２】
抜け防止部が中心に胴体部を通すための穴を有する座金であると共に、座金が胴体部から脱落しないようにするための座金支持部がループ状部とは反対側の胴体部の端部に設けられている請求項1に記載のソフトルアー用仕掛け接続具。
【請求項３】
抜け防止部の表面又は座金支持部の端部に、ソフトルアーへ差し込んで固定するための固定部が設けられている請求項1または２に記載のソフトルアー用仕掛け接続具。
【考案の詳細な説明】
【技術分野】
【０００１】
本考案は、ルアー釣りにおけるソフトルアー用仕掛けの接続具に関するものである。
【背景技術】
【０００２】
従来、ルアー釣りにおけるソフトルアーの素材は、弾性がある軟質プラスチィック材料等から製造されていることが多く、身切れした部分があると自己再生能力がないため、本来持っている能力を十分に発揮できずに釣果に悪影響を与えてしまうことが多くあった。
【０００３】
ソフトルアーに釣り針を付ける方法のひとつに、一箇所だけに簡単に釣り針を付ける通称「チョン掛け」と呼ばれているものがある。バス釣りにおいては通常「チョン掛け」とは呼ばれておらず、通称「ワッキーリグ」と、通称「ネコリグ」と呼ばれており、釣果が良いことで知られている。
【先行技術文献】
【特許文献】
【０００４】
【特許文献１】特開２００４−２０１５５１号公報
【特許文献２】特開２０１０−２６３８８１号公報
【特許文献３】実用新案登録第３１８６１６０号
【特許文献４】実用新案登録第３１９７９３７号
【考案の概要】
【考案が解決しようとする課題】
【０００５】
これは次のような欠点があった。
従来、ソフトルアーに釣り針を付ける「チョン掛け」仕掛けは、キャストを繰り返すルアー釣りにおいては、ソフトルアーの身切れが簡単に発生してしまっていた。使用困難に破損してしまう場合や釣り針から外れて紛失してしまう場合があり、面倒で無駄なソフトルアー交換が多く必要であった。紛失に関してはさらに、環境への配慮が足らないという問題もあった。
魚が釣れた場合においては、さらに高確率でソフトルアーの身切れが発生してしまうため、使用困難に破損してしまう場合や釣り針から外れての紛失が頻繁におこってしまっていた。
【０００６】
使用困難な破損や釣り針から外れての紛失を防止する工夫としては、ソフトルアーの身切れが少し確認された段階で、別の位置や向きに釣り針を付け直すことなどで対処していた。しかし、ソフトルアーに釣り針を取り付ける位置や向きについては、釣果に影響する場合があるので、通常であれば変更したくないというのが釣り客の考えである。
本考案は、以上のような欠点をなくすためになされたものである。
【課題を解決するための手段】
【０００７】
本考案の接続具は、釣り針を通すためのループ状部と、ソフトルアーに挿入するための胴体部と、ソフトルアーに挿入した胴体部がループ状部側へ抜けないようにするための抜け防止部とを有するソフトルアー用仕掛け接続具において、抜け防止部がソフトルアーと面接触するソフトルアー用仕掛け接続具である。これをソフトルアーに挿入し、ループ状部に釣り針を通して使用する。
なお、ループ状部、胴体部及び抜け防止部は、プラスチックで一体成型されたものであっても良い。
また、抜け防止部をループ状部、胴体部とは別体としても良い。その場合は、抜け防止部がその中心に胴体部を通すための穴を有する座金であると共に、座金が胴体部から脱落しないようにするための座金支持部がループ状部とは反対側の胴体部の端部に設けられていることが好ましい。
また、抜け防止部の表面又は座金支持部の端部に、ソフトルアーへ差し込んで固定するための固定部が設けられていることが好ましい。
本考案は、以上の構成よりなるソフトルアー用仕掛け接続具である。
【考案の効果】
【０００８】
本考案の接続具をソフトルアーに挿入してのバス釣りでいうところのワッキーリグやネコリグといった釣法において、以下の効果が得られた。
ただし、本考案はバス釣りに限定したものではなく、ソフトルアーを使った他魚種のチョン掛け仕掛けの釣法においても同様の効果が得られるものと考える。
（１）キャストを繰り返しおこなっただけでのソフトルアーの身切れ及び、魚が釣れた場合においてもソフトルアーの身切れは激減した。よって、使用困難なソフトルアーを交換する作業及び、紛失によって新たにソフトルアーを付け直すといった作業も激減した。
（２）同型の予備用ソフトルアーや型の違う別のソフトルアー等にあらかじめ準備挿入しておくことで、臨機応変に素早くソフトルアー交換がおこなえるようになった。相乗効果として、バス釣り初心者の釣り客にも、仕掛け作りに悩むことなく簡単にルアー釣りが楽しめるようになった。
（３）ソフトルアーが使用困難な破損や釣り針から外れての紛失は避けたいという理由から、ソフトルアーの身切れが少し確認された段階でソフトルアーに釣り針を取り付ける位置や向きを変更して対処していた面倒で悩ましい対処法を減らすことができた。
（４）接続具を線状材のみで構成した場合、過剰な力が接続具に加わると接続具がソフトルアーからすっぽ抜けることがあったが、ソフトルアーと面接触する抜け防止部を設けたことによりすっぽ抜けを強固に防止することができる。
【図面の簡単な説明】
【０００９】
【図１】本考案接続具の一例（ワッキーリグ用）を示す斜視図である。
【図２】本考案接続具の一例（ネコリグ用）を示す斜視図である。
【図３】本考案接続具にソフトルアーと釣り針を装着した状態の一例（ワッキーリグ）を示す側面図である。
【図４】本考案接続具にソフトルアーと釣り針を装着した状態の一例（ネコリグ）を示す側面図である。
【図５】本考案接続具の一例（ワッキーリグ兼ネコリグ用、一体成型タイプ）を示す斜視図である。
【考案を実施するための形態】
【００１０】
以下、本考案を実施するための形態について説明する。
一般的な釣り客の考えとして本考案の接続具は、釣り針や錘などと同様に、消耗品と位置づけられる。実用品として商品化するためにはできるだけ安価にしなければならない点も考慮した。
本考案の接続具を形成する材質はステンレススチールが望ましいと考える。一般的に釣りに使用される材質で錆びに強いためである。
形成する材料については、線径０．５ミリから１．０ミリ程度の規格品の線状材を使用及び、厚さ０．２ミリから０．５ミリ程度の規格品の座金を使用すればよいと考える。
釣り針ホルダーは、規格品の透明色熱収縮チューブが望ましいと考える。
また、本考案の接続具を形成する材質は、強度はステンレススチールより劣るものの、例えばポリエチレン系樹脂のようなプラスチックでも良い。プラスチックを用いることにより、ループ状部、胴体部、抜け防止部を一体成型することが可能であり、量産性に優れている。なお、座金についても強度的に問題なければプラスチック製を使用しても差し支えない。
また、抜け防止部の形状は、円形（楕円を含む）や矩形等の平板（座金のように中心に穴を有するものを含む）からなるフラットな形状でも良いが、ソフトルアーの形状にフィットするように平板をソフトルアー側に向かって凹に湾曲させても良い。
また、抜け防止部のソフトルアーと接触する面は、滑らかな面であっても良いし、サンドブラスト等により微細な凹凸を付けた面であっても良い。
【００１１】
以下、添付図面に従って本考案の実施例を説明する。
図１は、本考案接続具の一例（ワッキーリグ用）を示す斜視図である。本考案接続具（ワッキーリグ用）１のループ状部３は、ソフトルアーに釣り針を装着した際の釣り針の向きによって釣法の呼び名が変わるバス釣りでいうところのワッキーリグ釣法に対応した向きになっており、線状材でループを形成し、釣り針を通す機能をもっている。胴体部４は、ループ状部３とつながった平行した２本の直線の線状材であり、ソフトルアーに挿入し釣り針の位置を決める機能をもっている。抜け防止部（座金）１１は、一般的にはワッシャーという名称で販売されている部材であり、線状材の形成後にループ状部３から通し入れて胴体部４に装着し、ソフトルアーからのすっぽ抜けを強固に防止する機能をもっている。座金支持部５は、胴体部４をソフトルアーへの胴体部４の挿入方向に対して直角に折り曲げた直線の線状材であり、抜け防止部（座金）１１を支える機能をもっている。必要があれば、抜け防止部（座金）１１を座金支持部５に接着あるいは溶接しても良い。固定部６は、座金支持部５をループ状部３方向に向かって胴体部４と平行するように各直角に折り曲げた直線の線状材であり、ソフトルアーに差し込むことで強固に固定することができ、釣り針の回転を防止する機能をもっている。釣り針ホルダー７は、ループ状部３に透明色熱収縮チューブを熱圧着させたものであり、先に装着した抜け防止部（座金）１１がループ状部３から簡単に引き抜き取れない程度にループ状部３に膨らみを持たせつつ、釣り針を装着した際に釣り針のぐらつきを防止する機能をもっている。
本考案の一実施例は、以上のような構造である。
これを使用するときは、図３の本考案接続具にソフトルアーと釣り針を装着した状態の一例（ワッキーリグ）を示す側面図のソフトルアー９の図示下面から本考案接続具（ワッキーリグ用）１をループ状部３から差し込み挿入する。その際、固定部６もソフトルアー９にしっかり差し込める向きにして、抜け防止部（座金）１１がソフトルアー９に接触するまで差し込む。そして、ループ状部３のループの中を通るように釣り針ホルダー７に釣り針１０を突き刺し通す。バス釣りでは、通称ワッキーリグと呼ばれている釣り針の向きの釣法になる。
【００１２】
次に、本考案の他の実施例を説明する。
図２は、本考案接続具の一例（ネコリグ用）を示す斜視図である。本考案接続具（ネコリグ用）２と図１の本考案接続具（ワッキーリグ用）１との相違点は、ねじり部８を設けていることである。ねじり部８を設けることにより、ループ状部３は、ソフトルアーに釣り針を装着した際の釣り針の向きによって釣法の呼び名が変わるバス釣りでいうところのネコリグ釣法に対応した釣り針の向きになっている。ねじり部８は、胴体部４をねじって形成し、釣り針の向きを決める機能をもっている。
本考案の他の実施例は、以上のような構造である。
これを使用するときは、図４の本考案接続具にソフトルアーと釣り針を装着した状態の一例（ネコリグ）を示す側面図のソフトルアー９の図示下面から本考案接続具（ネコリグ用）２をループ状部３から差し込み挿入する。その際、固定部６もソフトルアー９にしっかり差し込める向きにして、抜け防止部（座金）１１がソフトルアー９に接触するまで差し込む。そして、ループ状部３のループの中を通るように釣り針ホルダー７に釣り針１０を突き刺し通す。バス釣りでは、通称ネコリグと呼ばれている釣り針の向きの釣法になる。
【００１３】
次に、本考案の更に他の実施例を説明する。
図５は、本考案接続具の一例（ワッキーリグ兼ネコリグ用、一体成型タイプ）を示す斜視図である。本考案接続具（ワッキーリグ兼ネコリグ用、一体成型タイプ）５１は、プラスチックを射出成型することにより、ループ状部５３、胴体部５４、抜け防止部５１１及び固定部５６が一体成型されており、固定部５６は根元から切り取って使用することが可能であり、釣法（ワッキーリグ及びネコリグ）に応じて切り取って使用する。
本実施例の使用方法は、本考案接続具（ワッキーリグ兼ネコリグ用、一体成型タイプ）５１の図示右手前と左奥の固定部５６を根元からニッパー等で切り取って図３の場合と同様に使用する。また、本考案接続具（ワッキーリグ兼ネコリグ用、一体成型タイプ）５１の図示左手前と右奥の固定部５６を根元からニッパー等で切り取って、ループ状部５３がネコリグ用の釣り針の向きになるように９０度角向きを変えてソフトルアーに挿入して図４の場合と同様に使用する。
本考案の更に他の実施例は、以上のような構造である。
【００１４】
なお、ソフトルアー用仕掛け接続具は、上記実施例に限定されず、本考案の趣旨を逸脱しない範囲で種々の変更が可能である。
例えば、図1や図３において、抜け防止部（座金）１１が省略され、座金支持部５そのものがソフトルアーと面接触する形状を有するものであっても良い。
また、図５において、材質をプラスチックではなく金属とし、各パーツを接着あるいは溶接して構成しても良い。
【符号の説明】
【００１５】
１    本考案接続具（ワッキーリグ用）
２    本考案接続具（ネコリグ用）
３    ループ状部
４    胴体部
５    座金支持部
６    固定部
７    釣り針ホルダー
８    ねじり部
９    ソフトルアー
１０    釣り針
１１    抜け防止部（座金）
５１    本考案接続具（ワッキーリグ兼ネコリグ用、一体成型タイプ）
５３    ループ状部
５４    胴体部
５６    固定部
５１１    抜け防止部
【図１】
0003231606.tif 000003
【図２】
0003231606.tif 000004
【図３】
0003231606.tif 000005
【図４】
0003231606.tif 000006
【図５】
0003231606.tif 000007